(57)【要約】【課題】遠隔のインターネットファクシミリ装置に対して電子メールを送信したときの電子メールに関する情報について、発信元のインターネットファクシミリ装置で把握することができる。【解決手段】インターネットファクシミリ装置２０から電子メールを送信した後に、インターネットファクシミリ装置２０は、送信した電子メールに関する情報を要求する電子メール情報要求コメントを含む電子メールを遠隔のインターネットファクシミリ装置２０Ｂに送信する。これに応答して、インターネットファクシミリ装置２０Ｂは、受信した電子メールに関する情報を要求する電子メール情報要求コメントを含む電子メールをインターネットファクシミリ装置２０から受信し、上記情報を通信管理記録テーブル領域８ｂから読み出して、上記情報を含む返信の電子メールをインターネットファクシミリ装置２０に送信する。【選択図】図２
2005191673.tif 000002
【特許請求の範囲】
【請求項１】
電子メールを用いてデータを他のインターネットファクシミリ装置に送信する送信手段を備えたインターネットファクシミリ装置において、
送信した電子メールに関する情報を要求する電子メール情報要求コメントを含む電子メールを上記他のインターネットファクシミリ装置に送信する制御手段を備えたことを特徴とするインターネットファクシミリ装置。
【請求項２】
電子メールを用いてデータを他のインターネットファクシミリ装置から受信する受信手段を備えたインターネットファクシミリ装置において、
受信した電子メールに関する情報を記憶する記憶手段と、
受信した電子メールに関する情報を要求する電子メール情報要求コメントを含む電子メールを上記他のインターネットファクシミリ装置から受信し、これに応答して、上記情報を上記記憶手段から読み出して、上記情報を含む返信の電子メールを上記他のインターネットファクシミリ装置に送信する制御手段を備えたことを特徴とするインターネットファクシミリ装置。
【請求項３】
上記電子メールに関する情報は、上記電子メールに対する、送信結果、受信結果、転送結果、印刷結果、処理結果の少なくとも１つを含むことを特徴とする請求項１又は２記載のインターネットファクシミリ装置。
【発明の詳細な説明】
【技術分野】
【０００１】
本発明は、電子メールを利用して画像データなどのデータを送信するインターネットファクシミリ装置に関する。
【背景技術】
【０００２】
例えば、特許文献１においては、電子メールを利用して画像データを送信するインターネットファクシミリ装置について開示されており、特に、インターネットファクシミリ装置を対して、電子メールを用いて遠隔から装置設定の更新を行う方法が開示されている。具体的には、電子メールによるインターネットファクシミリの送受信が可能なインターネットファクシミリ装置において、電子メールによる遠隔設定を受け付けて自機を装置設定し、電子メールによる装置設定に対する更新後の設定データを、該電子メールの送信元に返信する。ここで、電子メールによる装置設定に対する更新前の設定データと更新後の設定データとを、該電子メールの送信元に返信することを特徴としている。
【０００３】
【特許文献１】特開２００３−１８９０４１号公報。
【発明の開示】
【発明が解決しようとする課題】
【０００４】
しかしながら、遠隔のインターネットファクシミリ装置に対して電子メールを送信したときの電子メールに関する情報については、発信元のインターネットファクシミリ装置で把握することができないという問題点があった。
【０００５】
本発明の目的は以上の問題点を解決し、遠隔のインターネットファクシミリ装置に対して電子メールを送信したときの電子メールに関する情報について、発信元のインターネットファクシミリ装置で把握することができるインターネットファクシミリ装置を提供することにある。
【課題を解決するための手段】
【０００６】
本発明に係るインターネットファクシミリ装置は、電子メールを用いてデータを他のインターネットファクシミリ装置に送信する送信手段を備えたインターネットファクシミリ装置において、
送信した電子メールに関する情報を要求する電子メール情報要求コメントを含む電子メールを上記他のインターネットファクシミリ装置に送信する制御手段を備えたことを特徴とする。
【０００７】
また、本発明に係るインターネットファクシミリ装置は、電子メールを用いてデータを他のインターネットファクシミリ装置から受信する受信手段を備えたインターネットファクシミリ装置において、
受信した電子メールに関する情報を記憶する記憶手段と、
受信した電子メールに関する情報を要求する電子メール情報要求コメントを含む電子メールを上記他のインターネットファクシミリ装置から受信し、これに応答して、上記情報を上記記憶手段から読み出して、上記情報を含む返信の電子メールを上記他のインターネットファクシミリ装置に送信する制御手段を備えたことを特徴とする。
【０００８】
さらに、上記インターネットファクシミリ装置において、上記電子メールに関する情報は、上記電子メールに対する、送信結果、受信結果、転送結果、印刷結果、処理結果の少なくとも１つを含むことを特徴とする。
【発明の効果】
【０００９】
従って、本発明に係るインターネットファクシミリ装置によれば、第１のインターネットファクシミリ装置から送信した電子メールに関する情報を要求する電子メール情報要求コメントを含む電子メールを第２のインターネットファクシミリ装置に送信する一方、これに応答して、第２のインターネットファクシミリ装置は、受信した電子メールに関する情報を要求する電子メール情報要求コメントを含む電子メールを第１のインターネットファクシミリ装置から受信し、これに応答して、上記情報を上記記憶手段から読み出して、上記情報を含む返信の電子メールを上記第１のインターネットファクシミリ装置に送信する。これにより、遠隔のインターネットファクシミリ装置に対して電子メールを送信したときの電子メールに関する情報について、発信元のインターネットファクシミリ装置で把握することができる。
【発明を実施するための最良の形態】
【００１０】
以下、本発明に係る実施形態について図面を参照して説明する。
【００１１】
＜実施形態＞
図１は、本発明に係る実施形態であるインターネットファクシミリ装置２０の構成を示すブロック図である。また、図２は、図１のインターネットファクシミリ装置２０と、遠隔の他のインターネットファクシミリ装置２０Ａとの間で実行される、電子メール情報要求及び返信処理を示すシーケンス図である。
【００１２】
本実施形態においては、図２に示すように、図１のインターネットファクシミリ装置２０から電子メール（例えば、表１参照。）を送信した後に、インターネットファクシミリ装置２０は、送信した電子メールに関する情報を要求する電子メール情報要求コメントを含む電子メール（例えば、表２参照。）を遠隔に位置し、例えばインターネット４０に接続され、インターネットファクシミリ装置２０と同様に構成されたインターネットファクシミリ装置２０Ｂに送信する一方、これに応答して、インターネットファクシミリ装置２０Ｂは、受信した電子メールに関する情報を要求する電子メール情報要求コメントを含む電子メールをインターネットファクシミリ装置２０から受信し、上記情報をコンパクトフラッシュ（登録商標）８内の通信管理記録テーブル領域８ｂから読み出して、上記情報を含む返信の電子メール（例えば、表３参照。）をインターネットファクシミリ装置２０に送信することを特徴としている。
【００１３】
図１において、インターネットファクシミリ装置２０は、従来のＧ３方式等のファクシミリ通信機能を備えるとともに、図２の通信手順を備えたインターネットファクシミリ機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該インターネットファクシミリ装置２０の動作状態を表示したり、送信すべき原稿のイメージデータ、及び受信したイメージデータの表示を行う。
【００１４】
操作部５は、当該インターネットファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１５】
ＲＯＭ６は、当該インターネットファクシミリ装置２０の動作に必要であって主制御部１によって実行される種々のソフトウェアのプログラムを予め格納する。これらのプログラムは、少なくとも図２に図示された処理を含むインターネットファクシミリ送信処理のプログラムを含み、例えば、フロッピー（登録商標）ディスク、ＭＯ、ＤＶＤ−ＲＡＭなどの記録媒体に記録して、必要に応じてそのドライブ装置を介してＳＲＡＭ７にロードして当該プログラムを実行してもよい。ＳＲＡＭ７は、主制御部１のワーキングエリアとして使用されてプログラムの実行時に発生する一時的なデータを記憶する。また、コンパクトフラッシュ（登録商標）８は、画像データを格納する画像データメモリ領域８ａと、通信管理記録テーブルを記録するためのメモリ領域である通信管理記録テーブル領域８ｂとを含む。ここで、通信管理記録テーブルは、ファクシミリの送信処理及び受信処理毎に、送信結果、受信結果、転送結果、印刷結果（プリントの結果）、処理結果（格納、データ変換などの結果）、その他の処理結果についての日時、処理内容、結果内容（完了又はエラーなど）を含む。また、各通信は、メッセージＩＤにより識別されている（後述する表１乃至表３参照。）。
【００１６】
ファックスモデム１０は、公衆電話回線Ｌを介して公衆電話網５０に接続され、通常のファクシミリ通信用のファックスモデムの機能を有するモデムである。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００１７】
インターフェース回路１２は、当該インターネットファクシミリ装置２０を、例えばイーサネット（登録商標）などのＬＡＮ３０等に接続するために、信号やデータの信号変換やプロトコル変換を行うＬＡＮインターフェース回路であり、ＬＡＮ３０にはメールサーバ装置３１とルータ装置３２が接続される。さらに、ルータ装置３２はインターネット４０を介して相手先のメールサーバ装置（図示せず。）に接続される。当該インターネットファクシミリ装置２０から画像データを電子メール本文に挿入して、他のインターネットファクシミリ装置に対してメール送信するときは、インターフェース回路１２からＬＡＮ３０を介して一旦メールサーバ装置３１に送信した後、メールサーバ装置３１が当該インターネットメールを、ＬＡＮ３０、ルータ装置３２、インターネット４０、及び相手先のメールサーバ装置（図示せず。）を介して送信先のインターネットファクシミリ装置にメール送信する。一方、電子メールを受信するときは、上記の逆の経路で受信する。なお、インターネット４０への回線接続は、専用回線などに限らず、公衆電話回線Ｌを用いたダイヤルアップ接続でもよい。
【００１８】
以上のように構成された本実施形態のインターネットファクシミリ装置２０は、通常のＧ３方式及びインターネット等のファクシミリ通信機能に加えて、インターネットファクシミリ機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。
【００１９】
次いで、図２を参照して、図１のインターネットファクシミリ装置２０と、遠隔の他のインターネットファクシミリ装置２０Ａとの間で実行される、電子メール情報要求及び返信処理について以下に説明する。
【００２０】
本実施形態においては、図２に示すように、図１のインターネットファクシミリ装置２０から電子メール（例えば、表１参照。）を送信した後に、インターネットファクシミリ装置２０は、送信した電子メールに関する情報を要求する電子メール情報要求コメントを含む電子メール（例えば、表２参照。）を遠隔に位置し、例えばインターネット４０に接続され、インターネットファクシミリ装置２０と同様に構成されたインターネットファクシミリ装置２０Ｂに送信する。これに応答して、インターネットファクシミリ装置２０Ｂは、受信した電子メールに関する情報を要求する電子メール情報要求コメントを含む電子メールをインターネットファクシミリ装置２０から受信し、上記情報をコンパクトフラッシュ（登録商標）８内の通信管理記録テーブル領域８ｂから読み出して、上記情報を含む返信の電子メール（例えば、表３参照。）をインターネットファクシミリ装置２０に送信する。
【００２１】
当該実施例における送信した電子メールの一例、電子メール情報要求コマンドを含む電子メールの一例、及び電子メールを含む返信の電子メールの一例を以下に示す。
【００２２】
［表１］
送信した電子メールの一例
―――――――――――――――――――――――――――――――――――――――
From: ifax@abcdefg.com
Date: Sun, 23 Nov 2003 17:05:01 +0900
Message-Id: <1234567890@abcdefg.com>
To: ifax@hijklmn.com
Subject: Internet Facsimile Message
MIME-Version: 1.0
Content-Type: image/tiff; name="20031123170501.tif"
Content-Transfer-Encoding: base64
Content-Disposition: attachment; filename="20031123170501.tif"
0M8R4KGxGuEAAAAAAAAAAAAAAAAAAAAAPgADAP7/CQAGAAAAAAAAAAAAAAABAAAAKQAAAAAA
AAAAEAAA/v///wAAAAD+////AAAAACgAAAD/////////////////////////////////////
////////////////////////////////////////////////////////////////////////
////////////////////////////////////////////////////////////////////////
（中略）
XCQjLCMjMC4wMF8p01woXCQjLCMjMC4wMFwpHgQ1ABoAIAAAXCQjLCMjMC4wMF8p01tSZWRd
XChcJCMsIyMwLjAwXCngABQAAAAAAPX/IAAAAAAAAAAAAAAAwCDgABQAAAPX/IAAA9AAA
AAAAAAAAwCDgABQAAQAAAPX/IAAA9AAAAAAAAAAAwCDgABQAAgAAAPX/IAAA9AAAAAAAAAAA
wCDgABQAAgAAAPX/IAAA9AAAAAAAAAAAwCDgABQAAAAAAPX/IAAA9AAAAAAAAAAAwCDgABQA
AAAAAPX/IAAA9AAAAAAAAAAAwCDgABQAAAAAAPX/IAAA9AAAAAAAAAAAwCDgABQAAAAAAPX/
IAAA9AAAAAAAAAAAwCDgABQAAAAAAPX/IAAA9AAAAAAAAAAAwCDgABQAAAAAAPX/IAAA9AAA
AAAAAAAAwCDgABQAAAAAAPX/IAAA9AAAAAAAAAAAwCDgABQAAAAAAPX/IAAA9AAAAAAAAAAA
AAAAAAAAAAAAAAAAAAAAAAAAAAAAAAAAAAAgAAAAABAAAAAAAAA=
―――――――――――――――――――――――――――――――――――――――
【００２３】
表１の電子メールにおいては、メールヘッダにおいて通信ＩＤを含むことを特徴としている。
【００２４】
［表２］
電子メール情報要求コマンドを含む電子メールの一例
―――――――――――――――――――――――――――――――――――――――
From: ce-teq-limel@abcdef.com
Date: Sun, 23 Nov 2003 17:05:01 +0900
To: ifax@hijklmn.com
Subject: %request-notification#password%
MIME-Version: 1.0
Content-Type: text/plain;charset=us-ascii
Content-Transfer-Encoding: 7bit
%messageid=1234567890@hijklmn.com
%status?
%action
【００２５】
表２においては、メールヘッダのSubjectにおいて、%request-notification#password%と記載され、電子メール情報要求コマンドを含む電子メールであることを示している。また、通信ＩＤはメール本文において記載されている。
【００２６】
［表３］
電子メールを含む返信の電子メールの一例
―――――――――――――――――――――――――――――――――――
From: ce-teq-limel@abcdef.com
Date: Sun, 23 Nov 2003 17:05:01 +0900
To: masashi. eguchi@mel.muratec.co.jp
Subject: re:%request-notification#password%
MIME-Version: 1.0
Content-Type: text/plain;charset=us-ascii
Content-Transfer-Encoding: 7bit
%messageid=1234567890@abcdefg.com
%status=OK
%action=PRINT
――――――――――――――――――――――――――――――――――――
【００２７】
表３においては、メールヘッダのSubjectにおいて、re:%request-notification#password%と記載され、電子メール情報を含む返信の電子メールであることを示している。また、通信ＩＤはメール本文において記載され、送信結果はＯＫであって（表３の最終行から２行目）、受信した結果の画像データについてはプリント処理されている（表３の最終行参照。）ことを示している。
【００２８】
以上説明したように、本実施形態によれば、インターネットファクシミリ装置２０から電子メールを送信した後に、インターネットファクシミリ装置２０は、送信した電子メールに関する情報を要求する電子メール情報要求コメントを含む電子メールを遠隔のインターネットファクシミリ装置２０Ｂに送信する。これに応答して、インターネットファクシミリ装置２０Ｂは、受信した電子メールに関する情報を要求する電子メール情報要求コメントを含む電子メールをインターネットファクシミリ装置２０から受信し、上記情報をコンパクトフラッシュ（登録商標）８内の通信管理記録テーブル領域８ｂから読み出して、上記情報を含む返信の電子メールをインターネットファクシミリ装置２０に送信する。従って、遠隔のインターネットファクシミリ装置に対して電子メールを送信したときの電子メールに関する情報について、発信元のインターネットファクシミリ装置で把握することができる。
【００２９】
＜変形例＞
以上の実施形態においては、インターネットファクシミリ装置２０の例について述べているが、本発明はこれに限らず、公衆電話網又は公衆デジタル回線網などの公衆網に接続された、例えば電話機、データ通信装置などを含む通信端末装置に適用することができる。
【図面の簡単な説明】
【００３０】
【図１】本発明に係る実施形態であるインターネットファクシミリ装置２０の構成を示すブロック図である。
【図２】図１のインターネットファクシミリ装置２０と、遠隔の他のインターネットファクシミリ装置２０Ａとの間で実行される、電子メール情報要求及び返信処理を示すシーケンス図である。
【符号の説明】
【００３１】
１…主制御部、
２…画像読取部、
３…画像記録部、
４…表示部、
５…操作部、
６…ＲＯＭ、
７…ＳＲＡＭ、
８…コンパクトフラッシュ（登録商標）、
８ａ…画像データメモリ領域、
８ｂ…通信管理記録テーブル領域、
１０…ファックスモデム、
１１…ＮＣＵ、
１２…インターフェース回路、
１３…バス、
２０…インターネットファクシミリ装置、
３０…ＬＡＮ、
３１…メールサーバ装置、
３２…ルータ装置、
４０…インターネット、
５０…公衆電話網、
Ｌ…公衆電話回線。
【図１】
2005191673.tif 000003
【図２】
2005191673.tif 000004